(57)【要約】【課題】  この発明は、防水扉を起倒する起倒装置が作動しなくなった場合でも、防水扉と起倒装置とを分離して、防水扉を手動で持ち上げて起立できる防水扉装置を提供するものである。【解決手段】  防水扉基部３ｂにヒンジ装置３３を設けて起倒可能とする。防水扉３の下側に起倒装置３１を配設する。防水扉先端部３ａ下面に、ガイド面２６と係合溝２７とを備えたガイド部材２５を設ける。起倒装置３１の回動アーム２４先端は、ガイド面２６と相対移動可能に当接して防水扉３が傾倒状態のとき互いに分離可能となっており、防水扉３を所定量起立させると係合溝２７と連結するようになっている。よって、防水扉３を傾倒状態から手動で持ち上げれば、回動アーム２４と分離し起倒装置３１に関係なく起立できる。【選択図】  図２
2005163462.tif 000002
【特許請求の範囲】
【請求項１】
防水扉をヒンジ装置により起倒可能に設け、その防水扉を防水扉下側に回動可能に配設した起倒装置の回動アームにより押し上げると共に相対移動して起立させるようにした防水扉装置において、防水扉の下面にガイド部材を設け、ガイド部材と回動アームとを、両者の相対移動により防水扉の傾倒状態で分離可能で、かつ、防水扉を所定量起立させた後は互いに係合して連結されるように設け、防水扉の起立状態でガイド部材と回動アームの連結状態が維持され、防水扉の傾倒状態で防水扉を手動で持上げ可能にしたことを特徴とする防水扉装置。
【請求項２】
ガイド部材を防水扉の先端部に設け、ガイド部材の下面をガイド面とすると共にガイド面と連続して係合溝を設け、防水扉の傾倒状態で回動アームの先端部が係合溝から外れて防水扉を回動アームから分離可能とし、起倒装置により防水扉を所定量起立させると、回動アームの先端部がガイド面を押圧移動して係合溝に係合し、その係合状態で防水扉を起立させる構成としたことを特徴とする請求項１記載の防水扉装置。
【請求項３】
回動アームの先端部にガイドローラを設けたことを特徴とする請求項２記載の防水扉装置。
【請求項４】
防水扉を収納する収納凹部体を備え、収納凹部体の防水扉先端側に防水扉枢軸と同方向のアーム枢軸を中心にして支持アームを先端部が防水扉基部側に向くように回動可能に設け、支持アームの先端部に防水扉先端側に向く回動アームの基部を中間軸を介して回動可能に設け、駆動装置により回動される回動アームがガイド部材に係合することで上昇しながら防水扉を起立させるようにしたことを特徴とする請求項１から３何れか１項記載の防水扉装置。
【請求項５】
駆動装置は、アーム枢軸に駆動車を固着し、回動アームに中間軸を中心とする回動車を固着し、駆動車と回動車に帯状体を懸回して構成したことを特徴とする請求項４記載の防水扉装置。
【請求項６】
防水扉の起立状態で、ガイド部材と回動アームの連結位置をロックして相対移動を防止する連結係止手段を設けたことを特徴とする請求項１から５何れか１項記載の防水扉装置。
【請求項７】
防水扉のガイド部材に対応して連結係止ピンを設け、その連結係止ピンを防水扉の基部に対応して設けられて防水扉の起立回動により回動する回動部材と連結し、防水扉の起立状態において前記連結係止ピンを回動アームとガイド部材の連結状態を維持するロック位置に位置させ、傾倒状態において前記連結係止ピンをガイド部材と回動アームが分離できるロック解除位置に位置するように構成したことを特徴とする請求項６記載の防水扉装置。
【発明の詳細な説明】
【技術分野】
【０００１】
この発明は、主に建物や駐車場等の出入口からの浸水を防止する防水扉装置に関する。
【背景技術】
【０００２】
防水扉装置は、建物や駐車場等の出入口の床面に埋設されたピット（収納凹部体）に防水扉を配設し、その防水扉を収納凹部体の開口を閉塞する傾倒状態となる水平位置から出入口を閉塞する状態となる起立位置まで起倒装置の回動アームにより押し上げて起立させている。特許文献１では、前後に揺動する駆動レバー先端のローラが防水扉の裏面に設けられた係合レール間の隙間内に挿入された状態となっており、起倒時に駆動レバーが起倒するとローラが係合レール内を転動して防水扉を起倒するようになっている。この特許文献１では、防水扉と起倒装置とが常に一体に連結されているので、故障時には起倒装置が自動、手動共に作動しなくなるので防水扉を起立させることがかなり困難で、修理や点検等を行う際に問題がある。特に、防水扉の下側に配置された起倒装置を構成する部品（揺動レバーやギヤユニット等）が故障した場合には、点検用の蓋板を開放してそこからなんとかして揺動レバーを回転または起倒装置と防水扉を分離して防水扉を起立させて修理を行うことになるので、修理が非常に困難である。
【特許文献１】特開２０００−２２６９６５号公報
【発明の開示】
【発明が解決しようとする課題】
【０００３】
この発明は、従来技術に記載の問題点を解決すべく、起倒装置により防水扉を確実に起倒させることができ、しかも、防水扉が水平位置に位置する状態で、起倒装置が何らかの原因で自動、手動共に作動しなくなった場合でも、防水扉と起倒装置とを分離可能とし、防水扉のみを手動で持上げて起立させて修理、点検を行なうことができる防水扉装置を提供することを目的とする。
【課題を解決するための手段】
【０００４】
本願発明は、防水扉をヒンジ装置により起倒可能に設け、その防水扉を防水扉下側に回動可能に配設した起倒装置の回動アームにより押し上げると共に相対移動して起立させるようにした防水扉装置において、防水扉の下面にガイド部材を設け、ガイド部材と回動アームとを、両者の相対移動により防水扉の傾倒状態で分離可能で、かつ、防水扉を所定量起立させた後は互いに係合して連結されるように設け、防水扉の起立状態でガイド部材と回動アームの連結状態が維持され、防水扉の傾倒状態で防水扉を手動で持上げ可能にした。
【０００５】
ガイド部材を防水扉の先端部に設け、ガイド部材の下面をガイド面とすると共にガイド面と連続して係合溝を設け、防水扉の傾倒状態で回動アームの先端部が係合溝から外れて防水扉を回動アームから分離可能とし、起倒装置により防水扉を所定量起立させると、回動アームの先端部がガイド面を押圧移動して係合溝に係合し、その係合状態で防水扉を起立させる構成とした。回動アームの先端部にガイドローラを設けてガイド面を転動させるようにすれば動作を軽くできる。
【０００６】
防水扉を収納する収納凹部体を備え、収納凹部体の防水扉先端側に防水扉枢軸と同方向のアーム枢軸を中心にして支持アームを先端部が防水扉基部側に向くように回動可能に設け、支持アームの先端部に防水扉先端側に向く回動アームの基部を中間軸を介して回動可能に設け、駆動装置により回動される回動アームがガイド部材に係合することで上昇しながら防水扉を起立させるようにした。
駆動装置は、アーム枢軸に駆動車を固着し、回動アームに中間軸を中心とする回動車を固着し、駆動車と回動車に帯状体を懸回して構成した。
【０００７】
防水扉の起立状態で、ガイド部材と回動アームの連結位置をロックして相対移動を防止する連結係止手段を設けた。
防水扉のガイド部材に対応して連結係止ピンを設け、その連結係止ピンを防水扉の基部に対応して設けられて防水扉の起立回動により回動する回動部材と連結し、防水扉の起立状態において前記連結係止ピンを回動アームとガイド部材の連結状態を維持するロック位置に位置させ、傾倒状態において前記連結係止ピンをガイド部材と回動アームが分離できるロック解除位置に位置するように構成した。
【発明の効果】
【０００８】
本願発明では、防水扉の水平位置で、起倒装置の回動アームの先端部と防水扉の先端部とを分離できるように構成したから、防水扉の水平位置では防水扉を起倒装置に関係なく作業者が持ち上げて起立させることができる。これにより、故障等何らかの原因で起倒装置が自動、手動共に作動しなくなっても防水扉を手動にて持上げて起立させることで故障個所を容易に修理、点検することができる。また、通常の場合は、水害予想時等に、起倒装置の回転アーム先端が防水扉の先端部のガイド部材のガイド面を押上げながら移動してガイド部材の係合溝に係合し、回転アームと防水扉を連結した状態で防水扉を起立させるので、防水扉の立ち上げ途中に防水扉に流水の水圧や風圧等の何らかの力が作用しても、防水扉を起倒装置から外れることなく安全に且つ確実に起立させることができる。
【実施例】
【０００９】
本願発明の実施例について図１〜図７に基づいて説明する。防水扉装置１は建物や駐車場等の出入口の通路部の床面（下面）Ｆに埋設された収納凹部体２に防水扉３を配設し、その防水扉３を図２に示す収納凹部体２の開口を閉塞する水平位置（傾倒位置）と図６に示す出入口を閉塞する起立位置とに後述の起倒装置３１により起倒可能となっている。前記収納凹部体２は上方を開口した箱型形状であって、出入口の床面Ｆに形成された長方形状に形成された収納凹部４に設置されている。収納凹部４に沿って縁材５が取り付けられ、縁材５の下面を収納凹部体２の上端面２ａに当接させてある。収納凹部体２の前板２ｂ側（防水扉基部３ｂ側）にはパッキン部材６を備えた扉枠７が左、右に一対立設されている。また、収納凹部体２の前板２ｂには水平方向のパッキン部材８が取り付けてあり、そのパッキン部材８の両端を、扉枠７の垂直方向のパッキン部材６下端側と連続させてある。尚、パッキン部材６は、パッキン部材６と対応する防水扉３の基部３ｂ側両端部分に形成された切り欠き部を通過し、水平位置にある防水扉３と干渉しないようになっている。
【００１０】
また、防水扉３が水平位置に位置する時、防水扉３の先端部（自由端部）３ａが当接する断面Ｌ字状の支持部材１５が、収納凹部体２の後板２ｃ側で、幅方向左右の側板２ｅから後述の操作軸１７の左右近傍に立設した支柱４７の間に架設されている。また、後壁２ｃには支持部材１５と対峙して支持部材３２が幅方向に並設されており、支持部材１５と支持部材３２との間には複数枚（本願実施例では３枚）の点検用の蓋部材９が床面Ｆと面一となるように開閉可能に備えてある。この収納凹部体２には図示しない配管が連結され、その配管を通って収納凹部体２内に侵入してきた水を排水するようにしてある。また、縁材５は収納凹部体２の各側板の一部を構成するもので、各側板（前板２ｂ等）を収納凹部４の上端まで延ばして縁材５を省略しても良い。
【００１１】
次に、ヒンジ装置３３について説明する。収納凹部体２の底板２ｄには、前板２ｂ側の左、右に夫々前板２ｂから後板２ｃに沿う方向（前後方向）の固定ベース１０が固定的に設置されている。その固定ベース１０の前板２ｂ側の前端部には、相対向する一対の可動アーム１１ａの前後方向の中間部下側を第２当接部材１１ｂでつないだ揺動ベース１１が、その前端部を防水扉幅方向の防水扉枢軸１２により防水扉３の起倒方向に揺動可能に枢着してある。この揺動ベース１１の中間部（枢軸１２より後側部分）には、Ｌ字形状の第１リンク３４の下端部を可動アーム１１ａの間に入れた状態で第１下枢軸１４ｂにより回動自在に連結してある。また、揺動ベース１１の自由端（後端部）には、第１リンク３４より長い第２リンク３５の下端部を可動アーム１１ａ間に入れた状態で第２下枢軸３６ｂにより回動自在に連結してある。
【００１２】
防水扉３は収納凹部体２の開口部分を塞ぐように形成されたものであって、その防水扉３の基部３ｂ下面には前記固定ベース１０に対峙するように可動枢支部材１３が固着されている。この可動枢支部材１３の前隅部分には第１リンク３４の上端が第１上枢軸１４ａにより枢着されており、可動枢支部材１３の後隅部分には第２リンク３５の上端が第２リンク３５と一体の第２上枢軸３６ａにより枢着されている。また、第１リンク３４の中間部の下側には第１当接部３４ａが形成されており、第１リンク３４が下側へ所定量揺動されたときに、第１当接部３４ａは一対の可動アーム１１ａの間に入りこんで前記揺動ベース１１の第２当接部１１ｂに当接するようになっている。
【００１３】
よって、防水扉３は、水平位置から起立位置へ回動されると、第1リンク３４が起倒方向下向きに回動すると共に第２リンク３５が起倒方向上向きに回動して第１当接部３４ａが第２当接１１ｂに当接するまでの起立初期では、防水扉基部３ｂが前板２ｂの防水扉基部側壁面に対して前後方向で遠ざかる方向（後方）に移動すると共に防水扉先端部３ａが起倒方向上向きに揺動するようになっている。更に、第１リンク３４の第１当接部３４ａが第２当接部１１ｂに当接してから起立位置まで起倒するまでの起立終期では、第１当接部３４ａが第２当接部１１ｂに当接した状態で第１リンク３４と第２リンク３５とが揺動ベース１１と一体に枢軸１２を中心に起倒方向上向きに回動して起立するようになっており、起立位置では防水扉３の上面がパッキン部材６，８に押圧されるようになっている。また、防水扉３の下方（傾倒方向）への揺動は、前記支持材１５によって規制されており、支持材１５は、防水扉３が傾倒位置に位置し、防水扉３の先端部３ａが当接した時に、防水扉３の上面を床面Ｆと面一とする。
【００１４】
次に、起倒装置３１について説明する。収納凹部体２の底板２ｄには、後板２ｃ側の中央部に駆動モータ１６が設置されている。駆動モータ１６にはギヤユニット１８が連結されている。ギヤユニット１８は、図示しないラチェット機構を備え、ラチェット機構の操作軸１７が収納凹部体２内で蓋部材９の下方まで延びている。後板２ｃ側の操作軸１７先端には、図示しない手動ハンドルを着脱可能となっている。また、ギヤユニット１８の左右には、夫々カップリング部材１９を介して枢軸１２と同方向の駆動軸２０の一端が連結されている。この駆動軸２０はギヤユニット１８を介して駆動モータ１６、または、手動ハンドルによりラチェット機構を手動操作することで回動可能となっている。
【００１５】
左右の各駆動軸２０の他端部は、底板２ｄの後板２ｃ側の左右に夫々設置されたブラケット２１に支持されている。各駆動軸２０は、各一対の支持アーム２２が駆動軸２０を中心にして相対回動可能に取り付けられるアーム枢軸でもあり、各駆動軸２０の他端部には、夫々２本の支持アーム２２の基部２２ｂを間隔をあけて支持アーム先端部２２ａが防水扉基部３ｂ側に向くように回動可能に取り付けられている。各対になっている支持アーム先端部２２ａは中間軸２３によって連結されており、中間軸２３には、支持アーム２２間に中間軸２３を中心にして回動アーム２４の基部２４ｂが相対回動可能に取り付けられている。その回動アーム２４の先端部２４ａは防水扉３の先端部３ａに向くように設けられ、先端部２４ａにはガイドローラ３７が転動可能に軸部材３８により支持されている。
【００１６】
また、回動アーム２４には中間軸２３を中心とする回動車である第１チェーンホイール２８が固着されている。駆動軸２０には、支持アーム２２間の部分に駆動車である第２チェーンホイール２９が固着されている。この第１チェーンホイール２８と第２チェーンホイール２９には帯状体である無端チェーン３０が懸回されて、前記駆動モータ１６等と回動アーム２４を回動する駆動装置３９を構成している。無端チェーン３０の両端は図示しないテンション調整用のターンバックルにより連結されている。尚、回動車や駆動車をタイミングプーリで構成し、帯状体をタイミングベルトで構成しても良い。
【００１７】
前記回動アーム先端部２４ａのガイドローラ３７は、防水扉３の先端部３ａの下面に設けたガイド部材（ブラケット）２５と相対移動可能であると共に分離、連結可能となっている。ガイド部材２５は、その下面をガイドローラ３７が転動するガイド面２６とすると共に防水扉基端３ａ側にガイド面２６と連続して係合溝２７が形成されている。係合溝２７は、ガイドローラ３７が嵌まり込める円弧面に形成されていると共にガイド面２６より防水扉３上面に向けて凹となっている。このガイドローラ３７とガイド部材２５とは、支持アーム２２と回動アーム２４が折り曲げられ防水扉３が傾倒状態となって水平位置にあるとき、ガイドローラ３７上にガイド部材２５が分離可能に当接した状態、または、ガイドローラ３７とガイド部材２５とが離れた状態となるようになっている。
【００１８】
また、駆動軸２０の駆動により第２チェーンホイール２９が回動され、無端チェーン３０、第１チェーンホイール２８を介して回動アーム２４が中間軸２３を中心に回動すると、回動アーム先端部２４ａのガイドローラ３７は、ガイド面２６を相対移動しながら起倒方向に上向きに防水扉３を揺動させ、防水扉３を所定量起立させた後には、ガイドローラ３７と係合溝２７とが互いに係合して、回動アーム２４と防水扉３とが連結されることになる。更に、回動アーム２４が回動すると回動アーム２４と防水扉３との連結が維持されたままの状態で防水扉３が起立しガイド部材２５の傾倒方向上向きの移動に伴い回動アーム２４が上昇し、回動アーム２４が取り付けられた支持アーム先端部２２ａが駆動軸２０を中心に起倒方向上方に向けて揺動されることになる。本実施例では、回動アーム２４が支持アーム２２に対して略直線状となるように回動したときに、防水扉３が略垂直に起立するように回動アーム２４と支持アーム２２の長さが設定されている。また、係合溝２７のガイド面２６に対する深さは、回動アーム２４と支持アーム２２とが略直線状となった状態で、ガイドローラ３７に回動アーム２４が伸びる方向に対して垂直に防水扉３からの力が作用するように設定されている。つまり、回動アーム２４と支持アーム２２とが一直線になった状態では、ガイドローラ３７を介して一直線状の回動アーム２４と支持アーム２２とで防水扉からの外力（水圧）の大部分を受けることになる。このため、回動アーム２４と支持アーム２２と駆動軸２０と中間軸２３と軸部材３８の強度が外力に対抗できれば良く、無端チェーン３０にはほとんど防水扉からの外力がかからず、無端チェーン３０は防水扉を起倒するだけの強度があれば良い。収納凹部体２の底板２ｄにはストッパ４０が配置されおり、ストッパ４０は、防水扉３が傾倒状態から所定量起立するまでの間、２本の支持アーム２２の下面と当接して支持アーム２２を支える。
【００１９】
次に、連結係止手段４１について説明する。連結係止手段４１は、ガイド部材２５と対応してガイド部材２５の背面側に配置される連結係止ピン４２と、防水扉基部３ｂに対応してヒンジ装置３３に備えられる回動部材４３を含む。防水扉３の下面左右には、左右のガイド部材２５に対応して連結係止ピン支持部材４４が設けられている。この連結係止ピン支持部材４４の支持孔４５に連結係止ピン４２が挿通案内され、ガイド部材２５のガイド面２６と平行に、係合溝２７に対して、扉と反対側で扉縦方向に進退移動可能となっている。回動部材４３は第２上枢軸３６ａに一体に即ち第２リンク３５の上端と一体に設けられている。回動部材４３には、連結部材４６の防水扉基部３ｂ側の端部が回動可能に連結されており、連結部材４６の防水扉先端３ａ側の端部に連結係止ピン４２の防水扉基部３ｂ側の端部が回動可能に連結されている。そして、防水扉３の起立回動により第２リンク３５と一体に回動部材４３は上方へ回動（図４、図５では右回転）し、連結部材４６を介して水平位置（図２）において、連結係止ピン４２を係合溝２７の下側で係合溝２７と対向しないロック解除位置Ｒ２（ガイド部材２５と回動アーム２４が分離できる状態）から防水扉先端３ａ側に向けて移動させて起立状態（図６）では、係合溝２７に係合した軸部材３８の背部と係合するロック位置Ｒ１（回動アーム２４とガイド部材２５の連結状態を維持する位置）となるようにし、また、その起立状態から水平位置に向けての回動では、これと反対に動作して連結係止ピン４２をロック位置Ｒ１からロック解除位置Ｒ２に向けて防水扉基部３ｂ側に向けて移動させるようにしてある。尚、駆動装置３９をモータ１６と第１、第２チェーンホイール２８，２９とチェーン３０とから構成したが、シリンダを用いて回動アーム２４を揺動しても良い。
【００２０】
次に、上記のように構成した防水扉装置１の動作について説明する。防水扉装置１は、通常は図１、図２に示す水平位置にあり、防水扉３の上面と床面Ｆとは面一となっている。この状態では、支持アーム２２がストッパ４０に当接し、回動アーム先端部２４ａのガイドローラ３７と防水扉３のガイド部材２５のガイド面２６とが当接し、固定ベース１０の上面に揺動ベース１１の第２当接部１１ｂの下面が当接した状態となっている。尚、ガイドローラ３７とガイド面２６とは、防水扉先端部３ａが支持部材１５に当接しているので少し離れた状態となっていても良い。大雨によって建物や駐車場等の出入口に浸水が生じる恐れがある水害予想時には、駆動モータ１６により、または蓋部材９を開けて手動で操作軸１７を回転することにより、駆動軸２０を回転して、第２チェーンホイール２９を図２の状態から反時計回りに回転させる。
【００２１】
起立初期の間では、第２チェーンホイール２９が回転すると、支持アーム２２はストッパ４０に当接したままの状態で、無端チェーン３０、第１チェーンホイール２８を介して回動アーム２４が中間軸２３を中心に傾倒方向上向に回転され、ガイドローラ３７がガイド面２６を相対移動しながら防水扉３を起立させる。回動アーム２４により防水扉３が所定量起立した連結位置でガイドローラ３７が係合溝２７に係合する（図４）。更に回動アーム２４が回転し防水扉３が起立すると、ガイドローラ３７がガイド部材２５と一体となっているので、防水扉３の起立により回動アーム２４が引上げられ、支持アーム２２の先端２２ａが駆動軸２０を中心に上方向に上昇する。また、前記のように第１リンク３４は、第１下枢軸１４ｂを中心として下向きに回転し、第２リンク３５は第２下枢軸３６ｂを中心として上向きに回転し、防水扉基部３ｂが前板２ｂに対して前後方向に遠ざかりながら下向きに揺動し、第１当接部３４ａが第２当接部１１ｂに当接する（図５）。この起立初期では、前記のように第２リンク３５により回動部材４３、連結部材４６を介して連結係止ピン４２がロック解除位置Ｒ２からロック位置Ｒ１方向へ移動していき、ガイド部材２５の係合溝２７とガイドローラ３７とが連結した後、連結係止ピン４２が軸部材３８の背部に当接してガイド部材２５との間で係合溝２７とガイドローラ３７との連結位置をロックするロック位置Ｒ１となって係合溝２７とガイドローラ３７の相対移動を防止する。
【００２２】
起立終期では、第１当接部３４ａと第２当接部１１ｂとの当接により第１、第２リンク３４，３５の回転が規制され係合溝２７とガイドローラ３７とをロックした状態で、防水扉３は揺動ベース１１を介して枢軸１２を中心にして回転し起立位置で防水扉３の縁部がパッキン部材６，８に圧接して停止する（図６）。傾倒時はこれと反対に動作し、起立終期から起立初期の図５に示す位置まで防水扉３が傾倒すると、第２当接部１１ｂの下面が固定ベース１０上面に当接し、揺動ベース１１の枢軸１２回りの回動が規制され第１、第２リンク３４，３５が起立時と反対に回動し、前記係合溝２７とガイドローラ３７の連結位置になるまでの間に連結係止ピン４２が防水扉基部３ｂ側に移動し連結係止ピン４２によるロックが解除される。更に、係合溝２７とガイドローラ３７とが連結する図４に示す連結位置まで防水扉３が傾倒すると、ストッパ４０に支持アーム２２が当接する。その後、回動アーム２４のみが中間軸２３回りに回転することになり、ガイドローラ３７が係合溝２７から外れてガイド面２６を防水扉３先端側に向けて相対移動して、防水扉３が収納状態とされる。この防水扉３が収納状態となった時、ガイド部材２５とガイドローラ３７とは離間しても良いので、回動アーム２４の回転量を防水扉３が収納状態となるように正確に設定する必要がない。
【００２３】
防水扉３が水平位置にあるとき、何らかの原因で起倒装置３１が故障した場合には、蓋部材９を開けて作業者は防水扉先端部３ａに手をかけて持ち上げる。このとき、ガイドローラ３７とガイド部材２５とは当接または近接しているだけなので防水扉３の上向きの回転を妨げず、起倒装置３１が動かなくても回動アーム２４と分離して防水扉３は上向きに回転させることができる。そして、防水扉３を起立位置として、防水扉装置１の修理、点検を行う。
【００２４】
次に、他の実施例を図８、図９により説明する。前記第１の実施例と同一の部分には同一の符号を付けて説明を省略する。防水扉３の下面に、下方を開口した断面矩形に形成され、垂直方向の左右の垂直面４８ａ，４８ａと水平方向の上下水平案内面４８ｂ，４８ｃを備えた係合レール４８を設ける。収納凹部体２の底面２ｄに回動レバー４９の基部を回動可能に設け、先端にガイドローラ３７を設ける。回動レバー４９は、駆動装置３９により揺動可能とされている。係合レール４８の防水扉先端部３ａ側の下水平案内面４８ｃを切欠いて連結係止孔５０を形成する。防水扉３が水平位置にあるとき、ガイドローラ３７を係合レール４８の連結係止孔５０に位置させ、防水扉３を手動で持ち上げたとき、ガイドローラ３７を連結係止孔５０を通して係合レール４８から外れるようにした。また、防水扉３の起立時には、回動レバー４９が駆動装置３９により上向きに所定量回転するとガイドローラ３７が係合レール４８内に係合して、上水平案内面４８ｂと下水平案内面４８ｂ間に嵌入された状態で案内レール４８内を相対移動しながら押し圧して防水扉３を起立するようにした。
【図面の簡単な説明】
【００２５】
【図１】本発明の防水扉装置の平面図である。
【図２】防水扉を水平位置とした防水扉装置の側面図である。
【図３】支持アームと回動アームとヒンジ装置の平面図である。
【図４】起立初期においてガイドローラと係合溝との連結を示す側面図である。
【図５】起立初期においてガイドローラを連結係止ピンによりロックした状態を示す側面図である。
【図６】防水扉を起立位置とした防水扉装置の側面図である。
【図７】防水扉を手動で持ち上げた状態を示す説明図である。
【図８】他の実施例である。
【図９】防水扉傾倒状態でのガイドローラと係合レールを示す下面図である。
【符号の説明】
【００２６】
１  防水扉装置
２  収納凹部体
３  防水扉
１２  防水扉枢軸
２０  アーム枢軸（駆動軸）
２２  支持アーム
２３  中間軸
２４  回動アーム
２５  ガイド部材
２６  ガイド面
２７  係合溝
２８  回動車（第１チェーンホイール）
２９  駆動車（第２チェーンホイール）
３０  帯状体（無端チェーン）
３１  起倒装置
３３  ヒンジ装置
３７  ガイドローラ
４１  連結係止手段
４２  連結係止ピン
４３  回動部材
【図１】
2005163462.tif 000003
【図２】
2005163462.tif 000004
【図３】
2005163462.tif 000005
【図４】
2005163462.tif 000006
【図５】
2005163462.tif 000007
【図６】
2005163462.tif 000008
【図７】
2005163462.tif 000009
【図８】
2005163462.tif 000010
【図９】
2005163462.tif 000011